(57)【要約】【課題】周囲の雰囲気に合わせて、充電完了時のアラーム音の音量を適正な大きさに設定できるようにすることを目的とする。【解決手段】本発明に係る充電装置は、電動工具のバッテリ２２を充電するための充電装置であって、充電完了時に発生させるアラーム音のデータを記憶する記憶手段３４ｍと、外部の音量を検出する音量検出手段４０と、音量検出手段４０により検出した音量に基づいてアラーム音の音量を設定する音量設定手段３４と、バッテリ２２の充電完了時に、記憶手段３４ｍのアラーム音のデータと音量設定手段３４により設定された音量とに基づいてアラーム音を発生させる発音手段５０とを有する。【選択図】図１
2008079424.tif 000002
【特許請求の範囲】
【請求項１】
電動工具のバッテリを充電するための充電装置であって、
充電完了時に発生させるアラーム音のデータを記憶する記憶手段と、
外部の音量を検出する音量検出手段と、
前記音量検出手段により検出した音量に基づいて前記アラーム音の音量を設定する音量設定手段と、
前記バッテリの充電完了時に、前記記憶手段のアラーム音のデータと前記音量設定手段により設定された音量とに基づいてアラーム音を発生させる発音手段と、
を有することを特徴とする充電装置。
【請求項２】
請求項１に記載された充電装置であって、
音量設定手段は、音量検出手段により検出した音量に比例するように、アラーム音の音量を設定することを特徴とする充電装置。
【請求項３】
請求項１に記載された充電装置であって、
音量設定手段は、音量検出手段により検出した音量が所定値を超えたときに、アラーム音の音量を増加させる方向に切替えることを特徴とする充電装置。
【請求項４】
請求項１から請求項２のいずれかに記載された充電装置であって、
音量設定手段は、アラーム音の音量を段階的に変動させることを特徴とする充電装置。
【請求項５】
請求項１から請求項４のいずれかに記載された充電装置であって、
記憶手段には複数のアラーム音のデータが記憶されて、選択手段により選択された前記アラーム音のデータに基づいて発音手段がバッテリの充電完了時にアラーム音を発生させる構成であり、
前記アラーム音のデータを選択する際、前記選択手段のスイッチが一回操作されると、所定のアラーム音のデータに対応する音が鳴り、規定時間経過後にそのアラーム音のデータに対する選択が確定する構成であり、
前記選択手段のスイッチが一回操作されてから規定時間経過前に再びそのスイッチが操作されると次のアラーム音のデータに対応する音が鳴り、前記スイッチの再操作から規定時間経過後に前記次のアラーム音のデータに対する選択が確定するように構成されていることを特徴とする充電装置。
【請求項６】
請求項１から請求項５のいずれかに記載された充電装置であって、
バッテリの充電完了時のアラーム音を手動停止するか、あるいは自動停止するかを切替えるための切替え手段を備えており、
前記バッテリの充電前に前記切替え手段のスイッチを操作する回数により、前記アラーム音の手動停止、あるいは自動停止の切替えが行なわれることを特徴とする充電装置。
【請求項７】
請求項６に記載された充電装置であって、
切替え手段のスイッチと選択手段のスイッチとは兼用されていることを特徴とする充電装置。
【発明の詳細な説明】
【技術分野】
【０００１】
本発明は、電動工具のバッテリを充電するための充電装置に関する。
【背景技術】
【０００２】
電動工具に関する上記した充電装置としては、例えば、特許文献１に示すものが知られている。
特許文献１に係る充電装置は、アラーム音により充電完了を報知する報知手段と、充電時に電池パックを冷却するための送風手段とを備えている。前記充電装置では、充電完了時にアラーム音による報知を行なう際、送風手段の送風量を零、あるいは所定値まで減少させている。これにより、送風手段の送風騒音が低減して、充電完了時に報知手段のアラーム音が聞こえ易くなる。
【０００３】
【特許文献１】特開２００４−１８５８３７号公報
【発明の開示】
【発明が解決しようとする課題】
【０００４】
しかし、上記した充電装置では、充電完了時のアラーム音の音量が一定と考えられるため、静かな雰囲気下では、アラーム音の音量が必要以上に大きくて、騒々しく感じることがある。
逆に、騒々しい雰囲気下では、送風手段の送風騒音が低下しても、充電完了時のアラーム音が聞こえ難いことがある。
【０００５】
本発明は、上記問題点を解決するためになされたものであり、本発明が解決しようとする課題は、周囲の雰囲気に合わせて、充電完了時のアラーム音の音量を適正な大きさに設定できるようにすることである。
【課題を解決するための手段】
【０００６】
上記した課題は、各請求項の発明によって解決される。
請求項１の発明は、電動工具のバッテリを充電するための充電装置であって、充電完了時に発生させるアラーム音のデータを記憶する記憶手段と、外部の音量を検出する音量検出手段と、前記音量検出手段により検出した音量に基づいて前記アラーム音の音量を設定する音量設定手段と、前記バッテリの充電完了時に、前記記憶手段のアラーム音のデータと前記音量設定手段により設定された音量とに基づいてアラーム音を発生させる発音手段とを有することを特徴とする。
【０００７】
本発明によると、音量設定手段は、音量検出手段により検出した外部の音量に基づいてアラーム音の音量を設定する。例えば、静かな雰囲気ではアラーム音の音量を小さく、騒々しい雰囲気ではアラーム音の音量を大きく設定することが可能になる。このため、発音手段が充電完了時に記憶手段のデータと音量設定手段の設定音量とに基づいて発生させるアラーム音を周囲の雰囲気に合わせて適正な大きさにすることができる。
【０００８】
請求項２の発明によると、音量設定手段は、音量検出手段により検出した音量に比例するように、アラーム音の音量を設定することを特徴とする。
このため、静かな雰囲気でアラーム音の音量が大きくならず、また騒々しい雰囲気でアラーム音の音量が聞こえ難くなることがない。
請求項３の発明によると、音量設定手段は、音量検出手段により検出した音量が所定値を超えたときに、アラーム音の音量を増加させる方向に切替えることを特徴とする。
請求項４の発明によると、音量設定手段は、アラーム音の音量を段階的に変動させることを特徴とする。
このため、充電装置の使用者がバッテリの充電完了を認識し易くなる。
【０００９】
請求項５の発明によると、記憶手段には複数のアラーム音のデータが記憶されて、選択手段により選択された前記アラーム音のデータに基づいて発音手段がバッテリの充電完了時にアラーム音を発生させる構成であり、前記アラーム音のデータを選択する際、前記選択手段のスイッチが一回操作されると、所定のアラーム音のデータに対応する音が鳴り、規定時間経過後にそのアラーム音のデータに対する選択が確定する構成であり、前記選択手段のスイッチが一回操作されてから規定時間経過前に再びそのスイッチが操作されると次のアラーム音のデータに対応する音が鳴り、前記スイッチの再操作から規定時間経過後に前記次のアラーム音のデータに対する選択が確定するように構成されていることを特徴とする。
このように、選択手段のスイッチの操作回数により、複数のアラーム音のデータから所定のアラーム音のデータを選択できるようになる。
【００１０】
請求項６の発明によると、バッテリの充電完了時のアラーム音を手動停止するか、あるいは自動停止するかを切替えるための切替え手段を備えており、前記バッテリの充電前に前記切替え手段のスイッチを操作する回数により、前記アラーム音の手動停止、あるいは自動停止の切替えが行なわれることを特徴とする。
請求項７の発明によると、切替え手段のスイッチと選択手段のスイッチとは兼用されていることを特徴とする。
このため、部品点数が減少してコスト低減を図ることができる。
【発明の効果】
【００１１】
本発明によると、充電完了時に発生するアラーム音を周囲の雰囲気に合わせて適正な大きさにすることができる。
【発明を実施するための最良の形態】
【００１２】
（実施形態１）
以下、図１から図７に基づいて、本発明の実施形態１に係る充電装置の説明を行なう。本実施形態に係る充電装置は、電動工具に使用されるバッテリの充電装置である。ここで、図１は実施形態１に係る充電装置の回路構成を表すブロック図、図２は発音手段を表す模式図であり、図３は充電装置を構成する充電器、及び電池パックの斜視図等である。図４〜図７は充電装置の動作を表すフローチャートである。
【００１３】
＜充電装置１０及び電池パック２０について＞
充電装置１０は、図１に示すように、電動工具（図示省略）のバッテリ２２を収納する電池パック２０と、前記バッテリ２２の充電を行なう充電器３０とから構成されている。
電池パック２０は角形をした密閉容器であり、図３（Ａ）に示すように、連結部２５が形成されている。そして、その連結部２５の所定位置にバッテリ用のコネクタＣＮ１が設けられている。コネクタＣＮ１には、図１に示すように、バッテリ２２用の＋、−端子と、後記するバッテリ情報記憶部２７及びバッテリ温度計２８の信号端子Ｔとが設けられている。
電池パック２０の連結部２５は、電動工具の電池パック接続部（図示省略）に連結される部分であり、その連結部２５と電池パック接続部とが連結されることで、電動工具と電池パック２０が一体化される。そして、この状態で、電池パック２０のコネクタＣＮ１（＋、−端子）と前記電動工具の電気回路のコネクタ（図示省略）とが電気的に接続される。これにより、電動工具をバッテリ２２の電力で駆動できるようになる。
電池パック２０内のバッテリ情報記憶部２７は、バッテリ２２の履歴情報等のデータが格納されている。
【００１４】
＜充電器３０について＞
充電器３０は、図３（Ａ）（Ｂ）に示すように、箱形のハウジング３０ｘを備えており、そのハウジング３０ｘの上面右側に電池パック２０との連結部３５が形成されている。なお、図３（Ｂ）は充電器３０の模式平面図を表している。そして、その連結部３５の所定位置に充電用コネクタＣＮ２が設けられている。充電用コネクタＣＮ２には、図１に示すように、電池パック２０のコネクタＣＮ１と同様に、バッテリ用の＋、−端子と、信号端子Ｔとが設けられている。これにより、図３（Ａ）に示すように、充電器３０の連結部３５に対して電池パック２０の連結部２５が後方から前方にスライドさせられることにより、充電器３０の連結部３５と電池パック２０の連結部２５とが嵌合し、両者２５，３５が連結される。そして、充電器３０の連結部３５と電池パック２０の連結部２５とが連結されることで、電池パック２０のバッテリ用のコネクタＣＮ１、信号端子Ｔが充電器３０の充電用コネクタＣＮ２、信号端子Ｔと電気的に接続される。
【００１５】
充電器３０は、図１に示すように、電源コード３０ｒを備えており、その電源コード３０ｒのプラグが家庭用のＡＣ（交流）電源のコンセント（図示省略）に差し込み可能に構成されている。電源コード３０ｒは充電器３０の直流電源装置３１の入力端子３１ａ，３１ｂに接続されている。
直流電源装置３１は、交流の電源を二種類の直流電源、即ち、バッテリ充電用の第１直流電源（Ｖｐボルト電源）と、制御電源用の第２直流電源（Ｖｃボルト電源）とに変換するための装置である。
第１直流電源（Ｖｐボルト電源）は、直流電源装置３１の第１出力端子３１ｐ，Ｅから出力され、ＣＰＵ３４（後記する）で制御されるスイッチ３６を介して充電用コネクタＣＮ２の（＋、−端子）に接続されている。なお、符号Ｅはアース端子を表している。このため、充電器３０の充電用コネクタＣＮ２と電池パック２０のバッテリ用のコネクタＣＮ１とが接続され、さらに前記スイッチ３６がオンした状態で、直流電源装置３１の第１直流電源と電池パック２０のバッテリ２２とが電気的に接続されて充電が行なわれる。
【００１６】
直流電源装置３１の第２直流電源（Ｖｃボルト電源）は、第２出力端子３１ｃ，Ｅを介して制御用電源装置３３に接続されている。制御電源装置３３は、ＣＰＵ３４、外部音量検出部４０、発音部５０、手動入力部６０、及び表示部７０等の定電圧電源として使用される。
ＣＰＵ３４は、図示されていないメモリに格納されているプログラムに基づいてバッテリ２２の充電制御等を行なう部分である。このため、ＣＰＵ３４は、バッテリ２２の履歴情報、温度情報及び電圧等によりそのバッテリ２２の充電状態を監視できるように構成されている。そして、充電完了と判定したときに前記スイッチ３６をオフにしてバッテリ２２の充電を停止する。
さらに、ＣＰＵ３４は、データ記憶部３４ｍに予め記憶されているチャイム等のアラーム音のデータを選択するプログラムが格納されている。そして、選択したアラーム音のデータに基づいて、ＣＰＵ３４は、バッテリ２２の充電完了時に発音部５０を動作させて、前記アラーム音を発生させる。
即ち、前記データ記憶部３４ｍが本発明の記憶手段に相当する。
【００１７】
発音部５０は、例えば、圧電ブザーや圧電スピーカ等の音声発生素子５２と、その音声発生素子５２を動作させる駆動部５１とを備えている。駆動部５１は、図２（Ａ）に示すように、ＣＰＵ３４からのパルス信号Ｓによりオンオフ動作するトランジスタ等のスイッチング素子を備えており、前記パルス信号Ｓに対応した周波数の電圧を音声発生素子５２に印加できるように構成されている。
音声発生素子５２は周波数が所定値（ピーク周波数）の時に最大音量を得られるように構成されている。このため、ＣＰＵ３４で音の信号をパルス幅変調してパルス信号Ｓとして出力する際に、前記ピーク周波数をパルス幅変調のキャリア周波数とすることで、最大の音量が得られるようになる。また、前記キャリア周波数をピーク周波数から変化させることで、音声発生素子５２が発生させる音量を減少させることができる。即ち、キャリア周波数を調整することで音量の調整を行なえるようになる。
ここで、キャリア周波数を調整して音声発生素子５２の音量を変化させる代わりに、図２（Ｂ）に示すように、電源と音声発生素子５２との間に可変抵抗を直列に挿入して電圧を降下させ、音声発生素子５２が発生させる音量を変化させる方法も可能である。また、図２（Ｃ）に示すように、音声発生素子５２に加わる電圧を直接的に切替えて音量を変化させる方法も可能である。
【００１８】
外部音量検出部４０は、充電器３０が使用される作業環境の音量を検出する部分である。外部音量検出部４０は、マイクロフォン等の音量入力部４１と、音量入力部４１のアナログ波形を成形する波形成形部４３と、波形成形部４３からの出力信号を増幅してディジタルの音量信号に変換してＣＰＵ３４に伝送する増幅部４５とから構成されている。ＣＰＵ３４は、外部音量検出部４０の音量信号に比例するように、かつ作業環境の音量よりも大きくなるように、前記アラーム音の音量を設定できるように構成されている。
即ち、外部音量検出部４０が本発明の音量検出手段に相当し、ＣＰＵ３４が本発明の音量設定手段に相当する。
手動入力部６０は、バッテリ２２の充電前におけるアラーム音の選択、アラーム音の停止設定等を行なう際に使用者が操作する部分であり、押しボタンスイッチ６２を備えている。押しボタンスイッチ６２は、図３（Ａ）（Ｂ）に示すように、充電器３０のハウジング３０ｘの上面に取付けられたスイッチであり、その押しボタンスイッチ６２の信号がＣＰＵ３４に入力される。
表示部７０は、押しボタンスイッチ６２の信号に基づいてＣＰＵ３４が動作する際のＣＰＵ３４の処理状態を表示する部分であり、三個の発光ダイオード７１，７２，７３から構成されている。
【００１９】
＜本実施形態に係る充電装置１０の動作について＞
次に、図４〜図７に示すフローチャートに基づいて本実施形態に係る充電装置１０の動作について説明する。ここで、図４〜図７のフローチャートに基づく処理は、ＣＰＵ３４のメモリに格納されているプログラムに従って実行される。
先ず、充電器３０の電源コード３０ｒのプラグがＡＣ（交流）電源のコンセントに挿入されて電源が投入される。このとき、充電器３０の連結部３５に対して電池パック２０の連結部２５が連結されていない状態、即ち、充電器３０の充電用コネクタＣＮ２と電池パック２０のコネクタＣＮ１とが接続されていない状態では、スイッチ３６は、図１（Ａ）に示すように、ＣＰＵ３４によってオフ状態に保持されている（図４  バッテリ挿入待ち）。ここで、バッテリ挿入待であるか否の判定は、例えば、ＣＰＵ３４で充電用コネクタＣＮ２の（＋端子）の電圧を監視することにより行なう。即ち、充電用コネクタＣＮ２の（＋端子）の電圧が零であれば、充電用コネクタＣＮ２の（＋端子）がバッテリ２２に接続されておらず、バッテリ挿入待と判定される。
【００２０】
この状態で、手動入力部６０の押しボタンスイッチ６２が２回押されると（図４  ステップＳ１０１  ＹＥＳ）、表示部７０のNo.１発光ダイオード７１（以下、ＬＥＤ１という）とNo.２発光ダイオード７２（以下、ＬＥＤ２という）が消灯して、設定モード第１処理（ステップＳ１０３  図５のステップＳ１１１〜Ｓ１２２）が実行される。
設定モード第１処理は、バッテリ２２の充電完了時に鳴らされるアラーム音の手動停止、自動停止、あるいはアラーム音無しの選択を行なうための処理である。
即ち、設定モード第１処理において、押しボタンスイッチ６２が１回押されると（図５  ステップＳ１１１  ＹＥＳ  、ステップＳ１１２  ＹＥＳ）、ＬＥＤ１が発光する。そして、アラーム音を手動停止させるためのフラグが立てられてＣＰＵ３４のメモリに格納される（ステップＳ１１８）。これにより、No.３発光ダイオード７３（以下、ＬＥＤ３という）が1回点滅（ステップＳ１１９）した後、ＬＥＤ１が消灯（ステップＳ１２２）して設定モード第１処理が終了する。即ち、バッテリ２２の充電完了時にアラーム音を手動で停止させるまで、アラーム音が鳴り続けるように設定される。
【００２１】
また、設定モード第１処理において、押しボタンスイッチ６２が２回押されると（ステップＳ１１５  ＹＥＳ）、ＬＥＤ２が発光する。そして、アラーム音を自動停止させるためのフラグが立てられてＣＰＵ３４のメモリに格納される（ステップＳ１１８）。次に、ＬＥＤ３が1回点滅（ステップＳ１１９）した後、ＬＥＤ２が消灯（ステップＳ１２２）して設定モード第１処理が終了する。即ち、バッテリ２２の充電完了時にアラーム音が一定時間鳴った後、自動的にアラーム音が停止するように設定される。
また、設定モード第１処理において、押しボタンスイッチ６２が３回以上押されると（ステップＳ１１５  ＮＯ）、ＬＥＤ１及びＬＥＤ２が発光する。そして、アラーム音無しのフラグが立てられた後、ＬＥＤ１及びＬＥＤ２が消灯して設定モード第１処理が終了する。
即ち、押しボタンスイッチ６２とＣＰＵ３４とが本発明の切替え手段に相当する。
【００２２】
設定モード第１処理が終了すると一定時間後（数秒後）にＬＥＤ１及びＬＥＤ２が点滅して（図４  ステップＳ１０４）、設定モード第２処理が実行される（ステップＳ１０５  図６  ステップＳ１２２〜Ｓ１４０）。
設定モード第２処理は、データ記憶部３４ｍ（図１参照）に記憶されている複数種類（図６では４種類）のアラーム音１〜４のデータ、例えば、チャイムやメロディ等のデータから特定のアラーム音を選択するための処理である。
即ち、設定モード第２処理が開始されてから、例えば、５秒以内に押しボタンスイッチ６２が押されない場合には（図６  ステップＳ１２２  ＮＯ）、アラーム音無しが確定し（ステップＳ１３４）、そのデータがＣＰＵ３４のメモリに格納される（ステップＳ１３９）。これにより、ＬＥＤ３が１回点滅し（ステップＳ１４０）、設定モード第２処理が終了する。
また、設定モード第２処理が開始されてから、５秒以内に押しボタンスイッチ６２が押されると（ステップＳ１２２  ＹＥＳ）、アラーム音１が鳴り（ステップＳ１２３）、一定時間後、アラーム音１が停止する（ステップＳ１２４）。そして、アラーム音１が停止してから５秒以内に押しボタンスイッチ６２が押されない場合に（ステップＳ１２５  ＮＯ）、アラーム音１の選択が確定し（ステップＳ１３５）、そのデータがＣＰＵ３４のメモリに格納される（ステップＳ１３９）。これにより、ＬＥＤ３が１回点滅し（ステップＳ１４０）、設定モード第２処理が終了する。
なお、アラーム音１の場合、例えば、チャイムの音量が小→中→大と一定周期で切替わるように設定されている。
【００２３】
アラーム音１の選択が確定する前、即ち、アラーム音１が停止してから５秒以内に押しボタンスイッチ６２が押されると（  ステップＳ１２５  ＹＥＳ）、次にアラーム音２が一定時間鳴る（ステップＳ１２６，Ｓ１２７）。そして、アラーム音２が停止してから５秒以内に押しボタンスイッチ６２が押されない場合に（ステップＳ１２８  ＮＯ）、アラーム音２の選択が確定し（ステップＳ１３６）、そのデータがＣＰＵ３４のメモリに格納される（ステップＳ１３９）。これにより、ＬＥＤ３が１回点滅し（ステップＳ１４０）、設定モード第２処理が終了する。
なお、アラーム音２の場合、例えば、チャイムの音量が中→大と一定周期で切替わるように設定されている。
このように、アラーム音が一定時間鳴った後、５秒以内押しボタンスイッチ６２を押すことにより、データ記憶部３４ｍに記憶されている複数種類のアラーム音（図６ではアラーム音１〜４）を順番に聞くことができる。そして、希望のアラーム音が鳴った後、押しボタンスイッチ６２を押さないことで、希望のアラーム音の選択を確定させることができる。
なお、アラーム音３の場合、例えば、チャイムの音量が大→中→小と一定周期で切替わるように設定されており、アラーム音４の場合、メロディ等に設定されている。図６ではアラーム音が４種類の例を示したが、アラーム音の種類は適宜増加可能である。
即ち、押しボタンスイッチ６２とＣＰＵ３４とが本発明の選択手段に相当する。
【００２４】
上記したように、設定モード第１処理によりアラーム音の手動停止、自動停止等が設定され、設定モード第２処理によりアラーム音が選択されると、バッテリ２２の充電準備が完了する。
この状態で、充電器３０の連結部３５に対して電池パック２０の連結部２５が連結される。これにより、充電器３０の充電用コネクタＣＮ２と電池パック２０のコネクタＣＮ１とが接続されて、ＣＰＵ３４が充電用コネクタＣＮ２の（＋端子）を介してバッテリ２２の電圧を検知し、バッテリ挿入と判定される（図７  ステップＳ１５１  ＹＥＳ）。次に、電池パック２０のバッテリ情報記憶部２７に格納されているバッテリ情報と、バッテリ温度計２８の温度情報がＣＰＵ３４に読み込まれる（ステップＳ１５２）。このとき、バッテリ温度が高温と判定されたり、バッテリ寿命が短いと判定された場合は、充電時間は長くなる。充電時間が長い場合には（ステップＳ１５３  ＹＥＳ）、一定時間ブザーによる報知を行ない（ステップＳ１５４，Ｓ１５５）、ＬＥＤ１〜３を発光させる。充電時間が通常の場合には（ステップＳ１５３  ＮＯ）、上記処理は行なわない。
次に、ＣＰＵ３４の信号でスイッチ３６がオンし、直流電源装置３１の第１直流電源の電圧が電池パック２０のバッテリ２２に印加される。即ち、バッテリ２２の充電が開始される（ステップＳ１５６）。そして、時間が経過し、バッテリ２２の充電が完了すると、前記スイッチ３６がオフする（ステップＳ１５７）。
【００２５】
次に、外部音量検出部４０の音量入力部４１によって充電器３０の周辺の音量が測定され（ステップＳ１５８）、その音量信号がディジタル変換されてＣＰＵ３４に入力される。ＣＰＵ３４は、外部音量検出部４０の音量信号に比例するように、かつ前記音量信号よりも大きくなるように、前記アラーム音の音量を設定する（ステップＳ１５９）。即ち、静かな雰囲気でアラーム音の音量が大きくならず、また騒々しい雰囲気でアラーム音の音量が聞こえ難くならない。
次に、設定モード第１処理の結果が手動停止、自動停止、あるいはアラーム音無しのいずれであるかを確認する。また、設定モード第２処理の結果がアラーム音１〜４、アラーム無しのいずれであるかを確認する。
例えば、設定モード第１処理の結果が手動停止であり、設定モード第２処理の結果がアラーム音１の場合には（ステップＳ１６０  ＹＥＳ）、アラーム音１のデータと設定音量とに基づいて発音部５０が駆動される（ステップＳ１６１）。即ち、発音部５０の音声発生素子５２が動作してチャイムが鳴り、そのチャイムの音量が小→中→大と一定周期で切替わる。そして、バッテリ２２の充電完了に気付いた使用者が押しボタンスイッチ６２を押すことで、チャイムが停止し、充電装置１０の動作が終了する。
また、設定モード第１処理の結果が自動停止の場合には、一定時間が経過すると自動的にアラーム音が停止する。
さらに、設定モード第２処理等の結果がアラーム無しの場合には（ステップＳ１６０  ＮＯ）、ブザーが一定時間鳴らされて充電装置１０の動作が終了する（ステップＳ１６２）。
【００２６】
＜本発明に係る充電装置１０の長所について＞
本発明に係る充電装置１０によると、ＣＰＵ３４は外部音量検出部４０により検出した外部の音量に基づいてアラーム音の音量を設定する。例えば、静かな雰囲気ではアラーム音の音量を小さく、騒々しい雰囲気ではアラーム音の音量を大きく設定できる。このため、発音部５０が充電完了時に発生させるアラーム音を周囲の雰囲気に合わせて適正な大きさにすることができる。したがって、静かな雰囲気でアラーム音の音量が大きくならず、また騒々しい雰囲気でアラーム音の音量が聞こえ難くなることがない。
また、アラーム音の音量を、例えば、小→中→大というように、段階的に変動させることが可能なため、充電装置１０の使用者がバッテリ２２の充電完了を認識し易くなる。
また、押しボタンスイッチ６２の押し回数により、複数のアラーム音のデータから所定のアラーム音のデータを選択でき、さらにアラーム音の手動停止、あるいは自動停止の切替えも行なえるため、部品点数が減少してコスト低減を図ることができる。
【００２７】
＜変更例＞
ここで、本発明は上記実施形態に限定されるものではなく、本発明の要旨を逸脱しない範囲における変更が可能である。例えば、本実施形態では、ＣＰＵ３４が外部音量検出部４０の音量信号に比例するように、かつ音量信号よりも大きくなるように、アラーム音の音量を設定する例を示した。しかし、外部音量検出部４０の音量信号が所定値を超えたときに、アラーム音の音量を増加させる方向に切替える方法も可能である。
また、本実施形態では、押しボタンスイッチ６２の押し回数により、複数のアラーム音のデータから所定のアラーム音のデータを選択し、さらにアラーム音の手動停止、あるいは自動停止の切替えを行なう例を示した。しかし、押しボタンスイッチ６２の代わりに、充電器３０と電池パックのコネクタＣＮ１，ＣＮ２を挿抜する回数でアラーム音のデータの選択を行なわせることも可能である。
【図面の簡単な説明】
【００２８】
【図１】実施形態１に係る充電装置の回路構成を表すブロック図である。
【図２】充電装置の発音部を表す模式図（Ａ図）（Ｂ図）（Ｃ図）である。
【図３】充電装置の充電器と電池パックとの関係を表す斜視図（Ａ図）、充電器の模式平面図である（Ｂ部）。
【図４】充電装置の動作を表すフローチャートである。
【図５】充電装置の動作を表すフローチャートである。
【図６】充電装置の動作を表すフローチャートである。
【図７】充電装置の動作を表すフローチャートである。
【符号の説明】
【００２９】
２０      電池パック
２２      バッテリ
３０      充電器
３４      ＣＰＵ（音量設定手段、選択手段、切替え手段）
３４ｍ    データ記憶部（記憶手段）
３７      音声発生素子（発音手段）
４０      外部音量検出部（音量検出手段）
５０      発音部（発音手段）
６０      手動入力部
６２      押しボタンスイッチ（選択手段、切替え手段）
７０      表示部
【図１】
2008079424.tif 000003
【図２】
2008079424.tif 000004
【図３】
2008079424.tif 000005
【図４】
2008079424.tif 000006
【図５】
2008079424.tif 000007
【図６】
2008079424.tif 000008
【図７】
2008079424.tif 000009